(57)【特許請求の範囲】
【請求項１】
シリンダブロックおよびシリンダヘッド間に装着されて前記シリンダブロックおよびシリンダヘッドならびにチェーンケースの組み合わせよりなる３面シール部をシールするシリンダヘッドガスケットであって、当該ガスケットにおけるチェーンケース側端部には、前記チェーンケース側に向けて開放された開放ループ状のチェーンケース側オイルシールビードが設けられているシリンダヘッドガスケットにおいて、
前記チェーンケース側オイルシールビードに沿って閉ループ状のリークテスト用ビードを設けるとともに、前記リークテスト用ビードによって囲まれる空間域に向けてリークテスト用圧力を供給するリークテスト用圧力供給路を設けたことを特徴とするシリンダヘッドガスケット。
【請求項２】
請求項１記載のシリンダヘッドガスケットにおいて、
前記リークテスト用圧力供給路は、当該ガスケットを厚み方向に貫通するように設けられた圧力供給穴よりなることを特徴とするシリンダヘッドガスケット。
【発明の詳細な説明】
【技術分野】
【０００１】
本発明は、シール技術に係るシリンダヘッドガスケットに関し、更に詳しくは、チェーンケース側端部の漏れ検出機能を備えるシリンダヘッドガスケットに関する。本発明のシリンダヘッドガスケットは、内燃機関におけるシリンダブロック、シリンダヘッドおよびチェーンケースの組み合わせよりなる３面シール部に用いられる。
【背景技術】
【０００２】
従来から図２および図３に示すように、内燃機関におけるシリンダブロック２１およびシリンダヘッド３１間に装着されてこのシリンダブロック２１およびシリンダヘッド３１ならびにチェーンケース（フロントカバー）４１の組み合わせよりなる３面シール部５１をシールするシリンダヘッドガスケット１１が知られており（特許文献１参照）、さらにこの種のガスケットの一例として図４および図５の比較参考図に示すように、当該ガスケット１１におけるチェーンケース側端部にチェーンケース側オイルシールビード１３を設けたものがある。
【０００３】
このチェーンケース側オイルシールビード１３は、チェーンケース４１内で飛散したオイルがエンジン外部へ洩れることがないようこれをシールするものであって、その機能上、シールビードラインはガスケット端部で途切れていて、閉ループではなく、チェーンケース側に向けて開放された開放ループ状に形成されている。
【０００４】
ところで、シリンダヘッドガスケットについては広く一般に従来から出荷前にリークテストを実施している。現状のテスト法としては、リークテスタを用いて個々の閉ループ状のシールビードに加圧を行ない、リーク量を確認し、品質保証を行なっている。
【０００５】
しかしながら、このテスト法は、加圧を伴うため、閉ループ状のシールビードのみに実施可能で、上記開放ループ状のチェーンケース側オイルシールビードについては実施不可能である。したがってこの開放ループ状のチェーンケース側オイルシールビードについては外観の目視検査を実施せざるを得ず、目視検査は人による作業であり、検査員によって良、不良の判断基準に大きなバラつきが生じることから、その改善が求められる。
【先行技術文献】
【特許文献】
【０００６】
【特許文献１】特開２０１０−１２１６６２号公報
【発明の概要】
【発明が解決しようとする課題】
【０００７】
本発明は以上の点に鑑みて、開放ループ状のチェーンケース側オイルシールビードについて、加圧によるリークテストを実施可能とするシリンダヘッドガスケットを提供することを目的とする。
【課題を解決するための手段】
【０００８】
上記目的を達成するため、本発明の請求項１によるシリンダヘッドガスケットは、シリンダブロックおよびシリンダヘッド間に装着されて前記シリンダブロックおよびシリンダヘッドならびにチェーンケースの組み合わせよりなる３面シール部をシールするシリンダヘッドガスケットであって、当該ガスケットにおけるチェーンケース側端部には、前記チェーンケース側に向けて開放された開放ループ状のチェーンケース側オイルシールビードが設けられているシリンダヘッドガスケットにおいて、前記チェーンケース側オイルシールビードに沿って閉ループ状のリークテスト用ビードが設けられるとともに、前記リークテスト用ビードによって囲まれる空間域に向けてリークテスト用圧力を供給するリークテスト用圧力供給路が設けられていることを特徴とする。
【０００９】
また、本発明の請求項２によるシリンダヘッドガスケットは、上記した請求項１記載のシリンダヘッドガスケットにおいて、前記リークテスト用圧力供給路は、当該ガスケットを厚み方向に貫通するように設けられた圧力供給穴よりなることを特徴とする。
【００１０】
上記構成を備える本発明のシリンダヘッドガスケットにおいては、開放ループ状のチェーンケース側オイルシールビードに沿って閉ループ状のリークテスト用ビードが設けられるとともに、リークテスト用ビードによって囲まれる空間域に向けてリークテスト用圧力を供給するリークテスト用圧力供給路が設けられているために、リークテスト用ビードを接触状態としたうえで、リークテスト用ビードによって囲まれる空間域に向けてリークテスト用圧力供給路からリークテスト用圧力を供給し、リーク量を確認することにより、リークテストを実施することが可能とされている。したがって目視検査を取り止め、加圧によるリークテストを実施することができる。リークテスト用圧力供給路としては、当該ガスケットを厚み方向に貫通するように圧力供給穴を設け、上記空間域に向けて当該ガスケットの反対面側から圧力を供給するのが好適である。
【発明の効果】
【００１１】
本発明は、以下の効果を奏する。
【００１２】
すなわち、本発明においては上記したように、開放ループ状のチェーンケース側オイルシールビードに沿って閉ループ状のリークテスト用ビードが設けられるとともに、リークテスト用ビードによって囲まれる空間域に向けてリークテスト用圧力を供給するリークテスト用圧力供給路が設けられているために、リークテスト用ビードを接触状態とし、リークテスト用ビードによって囲まれる空間域に向けてリークテスト用圧力供給路からリークテスト用圧力を供給し、リーク量を確認することにより、リークテストを実施することが可能とされている。したがって目視検査を取り止め、加圧によるリークテストを実施することから、検査精度の均一化ならびに検査作業性の向上を実現することができる。
【図面の簡単な説明】
【００１３】
【図１】本発明の実施例に係るシリンダヘッドガスケットの要部平面図
【図２】シリンダブロック、シリンダヘッドおよびチェーンケースの組み合わせよりなる３面シール部の説明図
【図３】従来例に係るシリンダヘッドガスケットをシリンダヘッド上に載せた状態の平面図
【図４】比較参考例に係るシリンダヘッドガスケットの要部平面図
【図５】同シリンダヘッドガスケットをシリンダヘッド上に載せた状態の平面図
【発明を実施するための形態】
【００１４】
構成・・・・
本来のチェーンケース側オイルシールビードの内側または外側に沿わせた閉ループ状のリークテスタ用のビードを設ける。プレートには検査用加圧穴を設ける。
効果・・・・
検査用閉ループ（リークテスタ用シールライン）を設けることで加圧穴から加圧し、リーク量を測定することが可能となり、チェーンケース側オイルシールビードのリークテストが可能となるため、目視検査ではなく判断基準が一定となり、人によるバラつきがなくなる。また、チェーンケース側オイルシールビードの内外に閉ループを追加することにより、二重のシール構造となりオイルシール性が向上する。
【実施例】
【００１５】
つぎに本発明の実施例を説明するが、その前に、本発明実施例に対して比較参考例となるシリンダヘッドガスケット１１を図４および図５にしたがって説明する。この比較参考例に係るシリンダヘッドガスケット１１は、リークテスト用ビードおよびリークテスト用圧力供給路を備えていない点で本発明実施例に係るシリンダヘッドガスケットと異なっているが、その他の構成を本発明実施例に係るシリンダヘッドガスケットと同じとしている。シリンダヘッドガスケット１１は以下のように構成されている。
【００１６】
（１）シリンダヘッドガスケット１１は、互いに重ねられるシリンダブロック２１およびシリンダヘッド３１（図２参照）間に装着されてこのシリンダブロック２１およびシリンダヘッド３１ならびにこれらの側部に配置されるチェーンケース（フロントカバー）４１の組み合わせよりなる３面シール部５１（図２参照）をシールするものであって、当該シリンダヘッドガスケット１１におけるチェーンケース側端部（図では左端部）に、チェーンケース側（図では左方）に向けて開放された開放ループ（開ループ）状のチェーンケース側オイルシールビード１３が設けられている。
【００１７】
（２）シリンダヘッドガスケット１１は、金属基板ガスケットであって、所定の平面形状（例えば長方形）を備え、その長手方向一端部の両側にそれぞれ、チェーンケース４１の厚み面４２と対向する張り出し部１２が設けられ、この張り出し部１２にそれぞれ、前記チェーンケース側に向けて開放された開放ループ状のチェーンケース側オイルシールビード１３が設けられている。張り出し部１２はそれぞれ、チェーンケース４１の厚み面４２に対し平行に配置される先端辺１２ａならびに外側側辺１２ｂ、後端辺１２ｃおよび内側側辺１２ｄを備えている。
【００１８】
（３）図４において上方に描かれた一方のチェーンケース側オイルシールビード１３は、そのシールビードラインの両端部１３ａ，１３ｂが共に張り出し部１２の先端辺１２ａに達しており、よってこの一方のチェーンケース側オイルシールビード１３は張り出し部１２の先端辺１２ａのみでチェーンケース側に向けて開放されている。また、図４において下方に描かれた他方のチェーンケース側オイルシールビード１３は、そのシールビードラインの一方の端部１３ａが張り出し部１２の先端辺１２ａに達するとともに他方の端部１３ｂは当該ガスケット１１の先端部１１ａに達しており、よってこの他方のチェーンケース側オイルシールビード１３は張り出し部１２の先端辺１２ａおよび内側側辺１２ｄならびに当該ガスケット１１の先端部１１ａでチェーンケース側に向けて開放されている。
【００１９】
（４）尚、チェーンケース４１の厚み面４２と張り出し部１２との間に形成される隙間ｃは、液状ゴム（ＦＩＰＧ）が塗布されたり、当該ガスケット１１の金属基板部に被着されたシールゴムが装着時に食み出したりすることによって閉塞される。
【００２０】
（５）シリンダヘッドガスケット１１は、１枚の金属基板よりなるものもあるが、多くの場合は、複数枚の金属基板が重ねられ組み合わされている（積層タイプガスケット）。金属基板の表面（厚み方向の片面または両面）に薄膜状のゴム層が被着されることもある。
【００２１】
（６）シリンダヘッドガスケット１１の平面上には、ボア部１４や組み立て用ボルト通し穴１５などの穴部が厚み方向に貫通するように設けられており、また閉ループ状のオイルシールビード１６，１７や同じく閉ループ状の水シールビード１８などのシールビードが所定のレイアウトで設けられている。
【００２２】
（７）各シールビード１３，１６，１７，１８は、その機能や配置に応じて、ハーフビード形状またはフルビード形状などに形成されている。
【００２３】
上記（１）ないし（７）の構成を備えるシリンダヘッドガスケット１１において、当該ガスケット１１におけるチェーンケース側端部に設けられたチェーンケース側オイルシールビード１３はそれぞれチェーンケース側（図では左方）に向けて開放された開放ループ状とされているため、加圧によるリークテストを実施することができず、目視検査に頼らざるを得ない。
【００２４】
そこで、本発明実施例に係るシリンダヘッドガスケット１１では、以下の構成が追加されている。
【００２５】
すなわち図１に示すように、開放ループ状のチェーンケース側オイルシールビード１３の内側に沿ってそれぞれ、閉ループ状のリークテスト用ビード１９が設けられており、また、このリークテスト用ビード１９によって囲まれる空間域１９ａに向けてリークテスト用圧力を供給するためのリークテスト用圧力供給路２０が設けられており、当該実施例では、このリークテスト用圧力供給路２０が、ガスケット１１をその厚み方向に貫通するように設けられた圧力供給穴によって形成されている。リークテスト用ビード１９は閉ループ状であるため、これが囲む空間域１９ａに圧力を蓄えることが可能とされている。
【００２６】
したがって、上記リークテスト用ビード１９およびリークテスト用圧力供給路２０を追加したガスケット１１によれば、当該ガスケット１１を例えば試験台等に載せ、リークテスト用ビード１９を試験台等に対し接触させた状態としたうえで、このリークテスト用ビード１９によって囲まれる密閉された空間域１９ａに向けてリークテスト用圧力供給路２０からリークテスト用圧力を供給し、そのときのリーク量を確認することにより、ガスケット１１本体部に対し張り出し部１２がガスケット厚み方向に歪んでいるかどうかなど（ガスケット１１本体部に対し張り出し部１２がガスケット厚み方向に歪んでいると、チェーンケース側オイルシールビード１３およびリークテスト用ビード１９が共に相手材に対し十分に接触していない状態となることがある）、加圧によるリークテストを実施することが可能とされている。したがって目視検査を取り止め、加圧によるリークテストを実施することができるため、検査精度の均一化ならびに検査作業性の向上を実現することができる。尚、閉ループ状のリークテスト用ビード１９の平面形状はとくに限定されない。
【符号の説明】
【００２７】
１１  シリンダヘッドガスケット
１１ａ  チェーンケース側先端部
１２  張り出し部
１２ａ  先端辺
１２ｂ  外側側辺
１２ｃ  後端辺
１２ｄ  内側側辺
１３  チェーンケース側オイルシールビード
１４  ボア部
１５  ボルト通し穴
１６，１７  オイルシールビード
１８  水シールビード
１９  リークテスト用ビード
１９ａ  空間域
２０  リークテスト用圧力供給路
【図１】
0005810838.tif 000002
【図２】
0005810838.tif 000003
【図３】
0005810838.tif 000004
【図４】
0005810838.tif 000005
【図５】
0005810838.tif 000006